(57)【要約】  【課題】コマセの補給・交換を容易に、且つ効率的に行う。  【解決手段】餌材を練り合わせて任意の形状に形成してなる餌本体２に、当該餌本体２を釣りの仕掛けＡに取り付けるための連結体を埋設してなる釣用餌１。  【選択図】  図２
0003115410.tif 000002
【実用新案登録請求の範囲】
【請求項１】
動物性及び／又は植物性の材料からなる餌材を練り合わせて任意の形状に形成してなる餌本体に、当該餌本体を釣りの仕掛けに取り付けるための連結体を、当該連結体の一部が餌本体から突出するように埋設してなり、前記連結体は、少なくとも、餌本体からの突出部分が仕掛けの一部を構成する連結具に連結可能な略リング状を呈するように形成されている釣用餌。
【請求項２】
前記連結体がリング状に形成されているものである請求項１に記載の釣用餌。
【請求項３】
前記連結体の埋設部分に、当該連結体の餌本体からの抜けを防止する突起体を設けてなる請求項１又は請求項２に記載の釣用餌。
【請求項４】
前記突起体が釣りの仕掛けの一部を構成する錘を兼用しているものである請求項３に記載の釣用餌。
【請求項５】
前記突起体が石からなるものである請求項３又は請求項４に記載の釣用餌。
【請求項６】
前記連結体が、自然分解する素材からなるものである請求項１乃至請求項５何れか１項に記載の釣用餌。
【請求項７】
餌本体は、各餌材をつなぐために含まれるつなぎ材の量を増減することによって、餌本体のバラケ時間を長短調節している請求項１乃至請求項６いずれか１項に記載の釣用餌。
【考案の詳細な説明】
【技術分野】
【０００１】
本考案は、釣用餌に関し、詳しくは、主にコマセ(寄せ餌、撒き餌)に用いられる釣用餌に関する。
【背景技術】
【０００２】
魚釣りに用いられるコマセは、魚を仕掛けに寄せるために非常に有効なものであり、各種のコマセが用意されている。
例えば、アミやオキアミ、更には、小魚を細かく切り刻んだりミンチにしたりした撒き餌と称されるコマセや、植物性材料や動物性材料からなる粉状体を水で練ってダンゴ状に形成した練り餌と称されるコマセ、更には、前記のコマセを作る際に釣り場の状況に応じて混合される集魚剤等様々である。、
そして、前記のコマセの使用方法も、撒き餌の場合では、釣り人が柄杓等を用いて撒く方法、仕掛けに取り付けるコマセ籠等に入れて釣竿を振って撒く方法等が有り、練り餌の場合では、その練り餌で食わせ餌を包んでだり、ラセン(針金を螺旋状に形成した練り餌保持具)に付けたりし、この練り餌を水中でバラケさせる方法等様々である。
【考案の開示】
【考案が解決しようとする課題】
【０００３】
ところで、前記の各種コマセは、魚を寄せるために用いるものであるため、コマセの残量やバラケ状況等に応じてコマセを補給する必要がある。
しかしながら、従来のコマセは、その補給をする際に、撒き餌の場合では、前記したように柄杓で撒いたり、仕掛けを上げてコマセ籠に入れたり、練り餌の場合では、一々ダンゴを作ったりする必要があるため、極めて面倒であるとともに、コマセの補給に関して非効率的であった。
尚、前記コマセの補給を容易に、且つ効率的に行うという観点からなされたコマセに関する先行技術文献情報については、本願出願人の知る限りにおいて存在していない。
【０００４】
そこで本考案は、コマセの補給・交換を容易に、且つ効率的に行うことを課題とし、この課題を解決した釣用餌の提供を目的とする。
【課題を解決するための手段】
【０００５】
本考案は、上記目的を達成するために下記の技術的手段を採用した。
その第１考案は、動物性及び／又は植物性の材料からなる餌材を練り合わせて任意の形状に形成してなる餌本体に、当該餌本体を釣りの仕掛けに取り付けるための連結体を、当該連結体の一部が餌本体から突出するように埋設してなり、前記連結体は、少なくとも、餌本体からの突出部分が仕掛けの一部を構成する連結具に連結可能な略リング状を呈するように形成されている釣用餌にしたことである。
【０００６】
本発明で云う動物性及び／又は植物性の材料からなる餌材とは、練り餌として使用される餌材を主原料とし、その材料として、動物性の材料では、アミ粉、オキアミ粉、サナギ粉、カニ粉、魚粉等が例示でき、植物性では、イモ粉、サツマイモ粉、小麦粉、海草粉等が例示できる。
又、前記練り餌として使用される餌材に、アミ、オキアミ、サナギ等をの食わせ餌に用いられる餌材を混合しても良い。
前記任意の形状とは、潮や流れの状況、狙う魚のタナ(深さ)や習性等に応じた形状であり、例えば、略球型、略釣鐘型、略ラグビーボール型、円錐型、角錐型、角柱型、円柱型等が挙げられる。
前記仕掛けの一部を構成する連結具としては、例えば、スナップ、ヨリモドシ、サルカン、片テンビン等が例示できる。
【０００７】
前記連結体は、少なくとも、餌本体からの突出部分が仕掛けの一部を構成する連結具に連結可能な略リング状を呈するように形成されているとは、連結体の突出部分をリング状に形成しても良いし、餌本体の表面と連結体の突出部分とでリング状を形成しても良い。
第２考案では、連結体をリング状に形成した釣用餌にして、餌本体の表面と連結体の突出部分とでリング状が形成されるものとしている。
【０００８】
前記連結体を、餌本体からの抜けを防止するために、第３考案では、前記連結体の埋設部分に、当該連結体の餌本体からの抜けを防止する突起体を設けてなる釣用餌にした。
又、仕掛けの簡略化という観点から、第４考案では、前記突起体が釣りの仕掛けの一部を構成する錘を兼用しているものである釣用餌にした。
更に、自然保護という観点から、第５考案では、前記突起体が石からなるものである釣用餌にし、第６考案では、前記連結体が、自然分解する素材からなるものである釣用餌にした。
第６考案における自然分解する素材とは、例えば、かんぴょうや海藻類等の天然の素材や生分解性プラスティックが例示できる。
【０００９】
前記餌本体のバラケ時間を長短調整するという観点から、第７考案では、餌本体を各餌材をつなぐために含まれるつなぎ材の量を増減することによって、餌本体のバラケ時間を長短調節している釣用餌にした。
第７考案で云うつなぎ材は、例えば、粘りを生じさせるグルテンやグルテンが含まれる小麦粉等が挙げられる。
【考案の効果】
【００１０】
本考案の釣用餌によれば、下記の優れた効果が期待できる。
第１考案によれば、仕掛けに対して連結体を介してコマセを取り付けることができる。
したがって、コマセの補給・交換を容易に、且つ効率的に行える釣用餌を提供することができる。
更に、コマセの交換時に仕掛けを回収する際、仕掛けに残っているのは連結体のみになって、仕掛けを回収する際の水の抵抗が少なくなるので、リールの巻取り回転操作を極めてスムースに行うことができる。
更に、釣用餌が任意の形状に形成されているので、例えば、真空パックにすることによって長期間の保存ができるし、常時新鮮な状態のコマセとして使用できる。
又、第２考案によれば、リング状という簡易な形状で、しかも、連結体の突出部分を設けることによって、その突出部分を連結具に連結可能な略リング状を呈するように形成することができる。
又、第３考案によれば、連結体に設けられた突起体によって、連結体の餌本体からの抜けを防止しているので、餌本体と連結体とがより確実に保持され、特に、仕掛けを遠投する際の餌本体の抜け止めに極めて有効である。
又、第４考案によれば、錘兼用の突起体によって釣用餌自体に錘の作用が備わり、この釣用餌を仕掛けに付ければ錘を付けたことと同じ状態になるので、仕掛けの簡略化ということに対して有効である。
又、第５考案によれば、突起体に石を用いることによって、仮に、水中で連結体から外れて落下しても、使用後に水中に廃棄しても、水を汚染させる要因とならないので、自然保護という点で有効である。
又、第６考案によれば、連結体を自然分解する素材で構成したので、仮に、水中で仕掛けから外れて落下しても、使用後に水中に廃棄しても、一定期間で分解されるので、水を汚染させることも無く、自然保護という点で有効である。、
又、第７考案によれば、バラケ時間が異なるの釣用餌を用意することができ、これら釣用餌から狙う魚に応じたバラケ時間のものを任意に選択して使用することができるので、その釣果を延ばすことが期待できる。
【考案を実施するための最良の形態】
【００１１】
以下、本考案の釣用餌を実施するための最良の形態を図１及び図２に基づいて説明する。
図中、符号１は釣用餌、符号２は餌本体、符号３は連結体である。
【００１２】
釣用餌１は、動物性及び／又は植物性の材料からなる餌材とつなぎ材を練り合わせて略球型に形成してなる餌本体２に、当該餌本体２を釣りの仕掛けＡに取り付けるための連結体２を埋設して構成されている。
【００１３】
餌本体２は、狙う魚に応じた材料が選択されているとともに、その魚に応じた時間でバラケるようなつなぎ材の分量にされて練り合わされて形成されている。
又、符号２１は、餌本体２に混合されているオキアミであり、餌本体２の表面にオキアミをその姿のまま貼り付けてある。
【００１４】
連結体３は、かんぴょうをリング状に形成したものであり、その一部が餌本体２から突出する突出部分３１を確保して埋設されている。
又、前記突出部分３１には、スナップ３Ａが連結されていて、当該スナップ３Ａを仕掛けのヨリモドシＡ１等に引掛けることによって、釣用餌１を仕掛けに取り付けることができる。
又、連結体３の埋設部分３２には、石を用いた突起体４が結び付けられていて、この突起体４が餌本体２に食い込むように連結体３から突出することによって、当該突起体４が餌本体２を当該餌本体２の内部から保持して、その餌本体２の連結体３からの抜けを防止している。
【００１５】
前記突起体４は、仕掛けを水中に沈めたり、投げたりする際の錘としても使用されるものであり、その石の重量を変更することによって、餌本体２の外観的な大きさを変えること無く、餌本体２の重量を変更することができる。
すなわち、前記のように突起体４である石の重量を変更して、多様な重さの釣用餌を用意することによって、その釣用餌の中から狙う魚や投げる距離等を考慮して選択することができる。
【００１６】
本形態における釣用餌１は、前記スナップ３Ａの着脱によって、仕掛けに対して容易、且つ迅速に着脱することができ、しかも、仕掛け投入時においてその仕掛けから外れることが防止される。
又、本形態における餌本体２は、突起体４によって抜け止めされているので仕掛け投入時において連結体３から抜けてしまうことが防止される。
本形態における連結体３及び突起体４は、前記したようにいずれも天然の素材(かんぴょう、石)を用いて構成されているので、餌本体２が水中で全てバラケた際の釣用餌１の交換時において、仕掛けに残った連結体３を汚染の心配をすること無く水中に捨てることができる。
【００１７】
尚、本願考案は、例示した形態に限定するものではなく、実用新案登録請求の範囲に記載された内容から逸脱することなく、他の構成による実施も可能である。
例えば、球型とした餌本体の形状を、略釣鐘型、略ラグビーボール型、円錐型、角錐型、角柱型、円柱型等にしてもよい(図示せず)。
又、連結体から突起体を無くしたり、突起体に錘作用を備えないものを使用したりしてもよい(図示せず)。
更に、連結体をかんぴょう以外の他の天然素材で構成してもよい(図示せず)。
【図面の簡単な説明】
【００１８】
【図１】本考案に係る釣用餌の斜視図。
【図２】図１の(２)-(２)線断面図。
【符号の説明】
【００１９】
１：釣用餌
２：餌本体
３：連結体
４：突起体
Ａ：仕掛け
２１：オキアミ
３１：突出部分
３２：埋設部分
Ａ１：ヨリモドシ
３Ａ：スナップ
【図１】
0003115410.tif 000003
【図２】
0003115410.tif 000004